(57)【要約】【課題】スプールの高速回転時における磁気制動装置の振動およびノイズの発生を確実に防止することのできる魚釣用リールを提供すること。【解決手段】リール本体１２に回転自在に支持したスプール１８の一側に、スプール軸２２に対して軸方向移動可能にかつ回り止めされて支持された導電体４８を、スプール１８の回転によって径方向に移動する移動部材５８とスプール１８の径方向内側で軸方向外方に向けて拡径するテーパ状案内部６０との係合作用を介してリール本体１２に設けた磁石３６，３８の磁界内に進退させ、スプール１８に作用する磁気制動力を増減可能とする磁気制動装置３４を備えた魚釣用リール１０であって、前記移動部材５８が前記テーパ状案内部６０に係合する端部に摺接面５９を形成し、この摺接面５９に対応した形状の摺接案内面６２を、前記テーパ状案内部６０に軸方向に沿って形成した魚釣用リール。【選択図】      図２
2008113563.tif 000002
【特許請求の範囲】
【請求項１】
リール本体に回転自在に支持したスプールの一側に、スプール軸に対して軸方向移動可能にかつ回り止めされて支持された導電体を、前記スプールの回転によって径方向に移動する移動部材と前記スプールの径方向内側で軸方向外方に向けて拡径するテーパ状案内部との係合作用を介して前記リール本体に設けた磁石の磁界内に進退させ、スプールに作用する磁気制動力を増減可能とする磁気制動装置を備えた魚釣用リールであって、
前記移動部材が前記テーパ状案内部に係合する端部に摺接面を形成し、この摺接面に対応した形状の摺接案内面を、前記テーパ状案内部に軸方向に沿って形成したことを特徴とする魚釣用リール。
【請求項２】
前記テーパ状案内部は、軸方向に沿う案内溝を有し、この案内溝は前記摺接案内面で形成される底面を有することを特徴とする請求項１に記載の魚釣用リール。
【発明の詳細な説明】
【技術分野】
【０００１】
本発明は、魚釣用リールに関し、特に、釣糸放出操作時におけるスプールの過回転を防止する磁気制動装置を備えた魚釣用リールに関する。
【背景技術】
【０００２】
このような魚釣用リールの磁気制動装置は、リール本体の側板間に回転自在に支えられたスプールの一側に、このスプールと一体的に回転する筒状またはリング状の導電体を配置し、この導電体を、リール本体に設けた磁石に対向配置させることで形成されるのが通常である。このような磁気制動装置は、スプールの軸方向一端側の側部と、リール本体の外側板との間に配置されており、スプールが高速回転したときに、磁石の磁界内で回転する導電体に発生する渦電流の大きさによって、スプールの回転方向とは逆方向の力が、制動力としてスプールに作用する。
【０００３】
このような磁気制動装置を備えた魚釣用リールとして、スプールの釣糸巻回胴部内側にテーパ面を形成し、スプール回転による遠心力の作用で半径方向に移動する半径方向移動部材をスプール軸上に軸方向にも移動可能に装着し、スプールが回転したときの遠心力による半径方向移動部材の半径方向移動を、釣糸巻回胴部内側のテーパ面を介して軸方向移動に変換し、この半径方向移動部材を支える支持部材と共に、この支持部材に設けた導電体を磁気制動装置の磁界内に進退移動させ、スプール回転速度の増減に応じて制動力を自動調整するものがある（例えば特許文献１参照）。
【特許文献１】特開平１０−２６２５１８号公報
【発明の開示】
【発明が解決しようとする課題】
【０００４】
しかし、この魚釣用リールのように、スプールの釣糸巻回胴部の内側に形成したテーパ面は、スプールの軸方向外方に向けて拡径しており、径が増大するにつれて、テーパ面の周方向に沿う曲率が次第に小さくなる。一方、半径方向移動部材のテーパ面に対向する端面は、テーパ面に対して半径方向移動部材の径方向および軸方向の移動距離を大きくするために、スプールの周方向に沿う曲率が、テーパ面の最も大きな曲率以下に形成されるのが通常である。このため、スプールが低速回転している状態から高速回転に移行すると、半径方向移動部材の端面の曲率の方が、係合する相手方のテーパ面の曲率よりも大きくなり、半径方向移動部材の端面とこれに対向するテーパ面との間に形成される接触部が減少し、半径方向移動部材の端面における非接触部が増大する。特に、半径方向移動部材の側部すなわちスプールの周方向に沿う部位に非接触部が発生すると、半径方向移動部材のガタ付きが生じる。
【０００５】
このような半径方向移動部材とテーパ面との間の非接触部の領域が増大し、残った僅かな領域でのみ接触する状態では、キャストによるスプール高速回転時に振動およびノイズが発生し、快適なキャスティング操作を阻害することになる。
【０００６】
本発明は、このような事情に基づいてなされたもので、スプールの高速回転時における磁気制動装置の振動およびノイズの発生を確実に防止することのできる魚釣用リールを提供することを目的とする。
【課題を解決するための手段】
【０００７】
上記目的を達成するため、本発明によると、リール本体に回転自在に支持したスプールの一側に、スプール軸に対して軸方向移動可能にかつ回り止めされて支持された導電体を、前記スプールの回転によって径方向に移動する移動部材と前記スプールの径方向内側で軸方向外方に向けて拡径するテーパ状案内部との係合作用を介して前記リール本体に設けた磁石の磁界内に進退させ、スプールに作用する磁気制動力を増減可能とする磁気制動装置を備えた魚釣用リールであって、前記移動部材が前記テーパ状案内部に係合する端部に摺接面を形成し、この摺接面に対応した形状の摺接案内面を、前記テーパ状案内部に軸方向に沿って形成した魚釣用リールが提供される。
【０００８】
前記テーパ状案内部は、軸方向に沿う案内溝を有し、この案内溝は前記摺接案内面で形成される底面を有することが好ましい。
【発明の効果】
【０００９】
この魚釣用リールによると、キャストによるスプールの高速回転で、移動部材がテーパ状案内部の大径部側に移動しても、移動部材の摺接面とテーパ状案内部の摺接案内面とがそれぞれ対応した形状に形成されているため、接触状態が変化することなく、安定した状態で維持され、スプールの高速回転時における磁気制動装置の振動およびノイズの発生を確実に防止して快適な魚釣操作を行うことができる。
【００１０】
テーパ状案内部が、底面を前記摺接案内面で形成される案内溝を有する場合には、テーパ状案内部に対する移動部材の周方向移動が阻止されることにより、移動部材のガタ付きが確実に阻止され、移動部材が案内溝に沿って滑らかに案内される。
【発明を実施するための最良の形態】
【００１１】
図１から図７は、本発明の好ましい実施形態による魚釣用リール１０を示す。  
図１に全体を示すように、本実施形態の魚釣用リール１０は、両軸受型手巻きリールとして形成してある。この魚釣用リール１０のリール本体１２は、図示しない連結部材等で一体化される左右一対のフレーム１４ａ，１４ｂのそれぞれの外側に、例えばビス、螺合あるいは嵌合等の手段により、側板１６ａ，１６ｂを取付けて、全体的に剛性構造のハウジングとして形成され、図示しない取付脚部を介して釣竿に固定される。
【００１２】
釣糸が巻回されるスプール１８は、左右のフレーム１４ａ，１４ｂ間に回転自在に支持され、左側板１６ａは、スプール１８を回転駆動させる巻取り駆動部２０を支持し、この左側板１６ａと左フレーム１４ａとの間に形成された空間内に、この駆動部２０を形成する駆動力伝達系やドラグ系等の各種機構が収容されている。なお、左右は図中における左右方向を示し、実釣中における左右の方向を示すものではない。
【００１３】
このリール本体１２のフレーム１４ａ，１４ｂ間には、スプール１８を装着してこのスプール１８と共に回転するスプール軸２２の両端部が、例えば図示のようなボール軸受２４ａ，２４ｂを介して回転自在に支持されている。このスプール軸２２の一端側には、ハンドル２６で回転駆動されるピニオン２８がこのスプール軸２２と同軸状に配置されている。
【００１４】
このピニオン２８は、図示しない公知の伝達機構を介して、側板１６ａ，１６ｂ間に配置したクラッチレバー（図示しない）と連動しており、このクラッチレバーを作動することにより、軸方向に沿って移動することができる。例えば、図１に示すスプール軸２２の左端部にピニオン２８が嵌合した位置すなわち巻取状態と、スプール軸２２の左端部からピニオン２８を分離した状態（スプールフリー状態）とすることができる。又、ピニオン２８が分離した状態で、ハンドル２６を回転させると、図示しない公知の復帰機構を介して、ピニオン２８がスプール軸２２の左端部に嵌合して元の状態（巻取状態）に復帰し、スプール軸２２と一体化されているスプール１８が、ピニオン２８と共に一体的に回転する。
【００１５】
このスプール１８は、軸方向の両側に形成された一対の鍔部１８ａ，１８ａ間に位置する円筒状の胴部１８ｂを有し、胴部１８ｂの内周側に位置する中央壁部１８ｃを介してスプール軸２２に一体的に装着され、鍔部１８ａ，１８ａと釣糸巻回胴部１８ｂの外周面とで形成される環状溝内に釣糸（図示しない）が巻回される。この環状溝の底部を形成する胴部１８ｂ上に釣糸（図示しない）を均等に巻回するため、ハンドル２６の釣糸巻取り回転に連動して、一対の左右のフレーム１４ａ，１４ｂ間を往復動する公知のレベルワインド機構３０が配置されている。このレベルワインド機構３０は、左側板１６ａ内の駆動部と連動する係合子３２を左右に移動することにより、ハンドル２６の回転操作にともなって、釣糸をスプール１８の胴部１８ｂ上に均等に巻き取ることができる。そして、ハンドル２６の反対側に位置する一側には、スプール１８の過回転を防止する磁気制動装置３４を配置してある。
【００１６】
図２から図４に拡大して示すように、この磁気制動装置３４は、磁場を径方向に配向させるＮ極とＳ極とを周方向に沿って複数対を交互に逆向きに着磁させた内側リング磁石３６と、この内側リング磁石３６と逆方向に着磁された外側リング磁石３８とを備える。これらの内側リング磁石３６と外側リング磁石３８とは、それぞれリング状の内側保持板４０と外側保持板４２とを介して、スプール軸２２と同心状に、右フレーム１４ｂに装着され、その間に配置される環状間隙４４に磁界を形成する。
【００１７】
尚、外側リング磁石３８は、右側板１６ｂに装着したツマミ４６（図１参照）を回転操作することにより、スプール軸２２の軸線を中心として回転し、以下に説明する導電体４８に作用する磁気を調節可能に構成されている。一方、内側リング磁石３６を移動するようにすることも可能である。
【００１８】
この磁気制動装置３４の導電体４８は、スプール１８と一体的に回転し、環状間隙４４内に形成される磁界内に、スプール１８の回転速度に応じて進退される円筒状に形成してある。この円筒状の導電体４８は、例えばアルミニウムあるいは銅等の非磁性の導電性材料で形成される。特に、図２に詳細に示すように、本実施形態の導電体４８は、スプール軸２２の非円形断面部に軸方向移動が可能でかつ回転不能に装着されるボス部５０と、このボス部５０の外周部から半径方向外方に延びるディスク状部５２とを有する導電体支持部５４に取付けられている。導電体４８は、適宜の手段で導電体支持部５４に取付けることができるが、図示のように、ディスク状部５２の外周側縁部からハンドル２６と反対側すなわち右フレーム１４ｂの方向に突出する突片部５３を介して、固定することが好ましい。この導電体支持部５４は、導電体４８に作用する制動力をスプール軸１８に伝達できる強さを持つものであれば、適宜の樹脂または金属材料で形成することができる。尚、軽量化の面で樹脂材が好ましい。
【００１９】
この導電体支持部５４は、一端をスプール軸２２に固定されたバネ受５５で支えられた状態で、このスプール軸２２の外周部に装着されたコイルバネ５６により、環状間隙４４から離隔する方向すなわちハンドル２６側に付勢されている。また、ディスク状部５２には、移動部材５８が径方向に沿って摺動自在に装着されている。この移動部材５６は、スプール１８と共に導電体支持部５４が回転したときに、遠心力の作用により、ディスク状部５２に沿って半径方向外方に移動し、スプール１８に形成されたテーパ状案内部６０に係合する。このテーパ状案内部６０は、胴部１８ｂの内周側で、スプール１８の軸方向外方すなわち右フレーム１４ｂ側に向けて拡径しており、移動部材５８が係合したときに、この移動部材５８の径方向外方への移動をコイルバネ５６の付勢力に抗する軸方向移動に変換する。
【００２０】
本実施形態の移動部材５８は軟質または硬質の合成樹脂材料で形成され、ディスク状部５２を挟んで導電体４８側に配置される薄肉部５８ａと、ハンドル２６側に配置される厚肉部５８ｂと、これらの薄肉部５８ａと厚肉部５８ｂとを連結する連結部５８ｃとを有する略Ｈ字状の断面形状を有する。この移動部材５８の連結部５８ｃは、ディスク状部５２に半径方向に沿って形成されたガイドスロット５２ａ内に、このガイドスロット５２ａに沿って移動自在に配置される。また、薄肉部５８ａは、ディスク状部５２の導電体４８側の内面に沿って配置され、突片部５３に形成されたガイドスロット５３ａ内を自由に移動することができる。
【００２１】
更に、この移動部材５８の頂部、すなわち、スプール１８の胴部１８ｂの径方向内側に形成されたテーパ状案内部６０に対向する側の端部には、スプール１８の軸方向に沿って傾斜すると共に、スプール１８の周方向に沿って凸状に湾曲した摺接面５９が形成されている。
【００２２】
一方、スプール１８の胴部１８ｂの内側に形成するテーパ状案内部６０には、移動部材５８の摺接面５９に対応した湾曲形状を有する摺接案内面６２が凹設されている。本実施形態の摺接案内面６２は、スプール１８の中央壁部１８ｃに近接する部位から鍔部１８ａが配置された外側開口端まで、接触した移動部材５８の摺接面５９を軸方向に沿って案内する。この摺接案内面６２の周方向に沿う曲率は、中央壁部１８ｃに近接した部位から鍔部１８ａに近接した部位まで、一定のまま延設され、中間位置で変化することはない。すなわち、この摺接案内面６２の周方向に沿う曲率は、これに接触する移動部材５８の摺接面５９の周方向に沿う曲率に等しく、移動部材５８が中央壁部１８ｃに近接した位置から鍔部１８ａに近接した位置との間の、いずれの位置に配置された場合であっても、摺接面５９と摺接案内面６２との間の接触面の形状あるいはその面積は常に一定に保持される。
【００２３】
本実施形態では、摺接案内面６２は、テーパ状案内部６０に軸方向に沿って形成された案内溝６４の底面として形成してあり、この案内溝６４の側壁部６６が移動部材５８の側壁部に係合し、周方向の移動を確実に阻止することができる。
【００２４】
このような磁気制動装置３４を設けた魚釣用リール１０は、スプール１８が回転してないときは、移動部材５８に遠心力が作用しないため、図２に示すように、導電体支持部５４はコイルバネ５６の付勢力でスプール１８の中央壁部１８ｃ側に押圧され、導電体４８は、内側リング磁石３６と外側リング磁石３８との間の間隙４４の外側（中央壁部１８ｃ側）に配置される。したがって、導電体４８は内側リング磁石３６および外側リング磁石３８による磁界の影響を殆ど受けず、スプール１８は非制動状態に維持される。導電体支持部５４および移動部材５８はコイルバネ５６の付勢力で確実に所定位置に保持され、ガタ付きが防止される。
【００２５】
図５から図７は、スプール１８が高速で回転するときの磁気制動状態を示す。  
スプール１８が回転すると、移動部材５８には、このスプール１８の回転による遠心力が作用する。連結部５８ｃおよび薄肉部５８ａがディスク状部６２のガイドスロット５２ａおよび突片部５３のガイドスロット５３ａ（図４）に沿って半径方向外方に移動し、二点鎖線で示すように、移動部材５８の摺接面５９がテーパ状案内部６０の摺接案内面６２に接触する。この摺接案内面６２は、移動部材５８に作用する径方向外方への力を、図中右方の右フレーム１４ｂに向く軸方向の力に変換し、コイルバネ５６の付勢力と釣合った位置に、この移動部材５８を保持する。この移動部材５８が最も径方向外方に移動した状態が図７に示してある。この移動部材５８の移動により、導電体支持部５４に保持された導電体４８は内側リング磁石３６と外側リング磁石３８との間の間隙４４内に配置される。導電体４８には内側リング磁石３６および外側リング磁石３８による磁界の影響で渦電流が発生し、スプール１８の回転を抑制する。
【００２６】
そして、スプール１８の回転が低下して移動部材５８に作用する遠心力が低下し、コイルバネ５６の付勢力が優勢となると、このコイルバネ５６の軸方向に作用する付勢力が、テーパ状案内部６０の摺接案内面６２で移動部材５８を半径方向内方に付勢する付勢力に変換され、この変換された半径方向内方の力で、移動部材５８がボス部５０側のスプール軸２２側に移動される。導電体４８は間隙４４から退出する方向に移動され、したがって、磁気制動装置３４は、スプール１８の回転速度の増減に応じて、制動力を自動調整し、スプール１８の過回転を防止する。
【００２７】
このように、キャスト等によるスプール１８の高速回転で、移動部材５８がテーパ状案内部６０の摺接案内面６２に沿って、中央壁部１８ｃから鍔部１８ａに向けて大径部側に向け、あるいはその逆方向に移動する際、移動部材５８の摺接面５９とテーパ状案内部６０の摺接案内面６２とがそれぞれ対応した周方向の曲率を有する湾曲面の形状に形成されているため、移動部材５８がスプール軸２２の軸方向に沿ういずれの位置にあっても、摺接面５９と摺接案内面６２との間の接触面の形状あるいは面積が一定に保持され、これらの接触状態が変化することはない。移動部材５８はテーパ状案内部６０に対して、安定した接触状態で維持され、スプール１８の高速回転時における磁気制動装置３４の振動およびノイズの発生を確実に防止して快適な魚釣操作を行うことができる。
【００２８】
特に、摺接案内面６２が、テーパ状案内部６０に凹設された案内溝６４の底壁を形成し、この案内溝６４の側壁部６６が移動部材５８の側部に係合することにより、スプール１８に対する移動部材５８の周方向移動が阻止され、スプール１８に作用する負荷が変動した場合であっても、移動部材５８のガタ付きが確実に阻止され、移動部材５８は、この案内溝６４に沿って滑らかに案内される。
【００２９】
図８及び図９は、変形例による移動部材５８Ａおよび５８Ｂを示す。なお、以下に説明する種々の変形例あるいは実施形態は、基本的には上述の実施形態と同様であるため、同様な部分には同様な符号を付して詳細な説明を省略する。
【００３０】
図８は、移動部材５８Ａの摺接面５９Ａを平坦面で形成し、これに対応する摺接案内面６２Ａも平坦面で形成したものである。摺接案内面６２Ａを形成する案内溝６４Ａは、略矩形の断面形状に形成される。
【００３１】
図９は、上述の実施形態とは逆に、移動部材５８Ｂの摺接面５９Ｂを凹設面で形成し、テーパ状案内部６０に形成する摺摺接案内面６２Ｂをほぼかまぼこ状に突出した突条６４Ｂの凸状面で形成したものである。この場合には、スプール１８の胴部１８ｂが薄肉構造の場合であってもその突出高さを必要に応じて調整することが可能である。
【００３２】
なお、本発明は、上述の実施形態あるいは種々の変形例に限るのものではなく、これらの実施形態および変形例を様々に組合せ、あるいは変更するこも可能である。例えば、移動部材の摺接面や、テーパ状の案内部の摺接案内面の形状や、案内溝の深さ等は、スプールの形状、大きさ、リールの種類、制動力の仕様等を考慮して適宜設定される。また、スプールの胴部内側にテーパ状案内部を直接形成した構造で説明したが、テーパ状案内部を別体に形成して、スプールの胴部内側に装着固定してもよい。
【図面の簡単な説明】
【００３３】
【図１】本発明の好ましい実施形態による魚釣用リールを示す部分断面図。
【図２】図１に示す魚釣用リールの一部を拡大した磁気制動装置を示す断面図。
【図３】図２のＩＩＩ−ＩＩＩ線に沿う断面図。
【図４】図２のＩＶ−ＩＶ線に沿う断面図。
【図５】図２から移動した状態の磁気制動装置の説明図。
【図６】図５のＶＩ−ＶＩ線に沿う図。
【図７】スプールが高速回転したときの移動部材の配置を示す説明図。
【図８】変形例による図３と同様な断面図。
【図９】他の変形例による説明図。
【符号の説明】
【００３４】
１０…魚釣用リール、１２…リール本体、１８…スプール、２２…スプール軸、３４…磁気制動装置、５８…移動部材、５９…摺接面、６０…テーパ状案内部、６２…摺接案内面。
【図１】
2008113563.tif 000003
【図２】
2008113563.tif 000004
【図３】
2008113563.tif 000005
【図４】
2008113563.tif 000006
【図５】
2008113563.tif 000007
【図６】
2008113563.tif 000008
【図７】
2008113563.tif 000009
【図８】
2008113563.tif 000010
【図９】
2008113563.tif 000011